(57)【要約】【課題】  表示装置にメッセージを表示する技術を提供する。【解決手段】  イベント会場に設置した表示装置にメッセージを表示するシステムであって、サービス会社のサーバは、第１の通信ネットワークを介して表示装置からイベントを開始したことを示す信号を受信すると、記憶手段に格納されたメッセージ情報のうち表示許可なメッセージ情報を送信し、さらに、当該信号を受信した以降にメッセージ情報を受信すると、表示許可か否かにかかわらず全てのメッセージ情報を表示装置に送信する。表示装置は、第２の通信ネットワークを介してメッセージ情報を送信し、表示許可とされたメッセージ情報のみを表示する。【選択図】  図１
2006155075.tif 000002
【特許請求の範囲】
【請求項１】
文字列及び画像少なくとも１つを含むメッセージ情報を表示するメッセージ表示システムであって、
第１のネットワークを介して、第１の検閲用端末と接続されるメッセージ保持サーバと、
第２のネットワークを介して、第２の検閲用端末に接続されると共に、前記第１のネットワークを介して前記メッセージ保持サーバと接続されるメッセージ表示機能付サーバとを備え、
前記メッセージ保持サーバが、
前記第１のネットワークを介して送信されたメッセージ情報を受信する第１のメッセージ受信手段と、
前記受信したメッセージ情報を記憶する第１のメッセージ記憶手段と、
前記第１のネットワークを介して前記第１の検閲用端末から送信された検閲結果指示に基づいて、前記第１のメッセージ記憶手段に記憶されているメッセージ情報の各々に、当該メッセージ情報が表示可能か否かを示す検閲結果情報を付与する第１の検閲結果受付手段と、
前記メッセージ表示機能付サーバから送信されたメッセージ送信要求を受信すると、前記第１のメッセージ記憶手段に記憶されているメッセージ情報のうち、表示可能を示す検閲結果情報が付与されているメッセージ情報と、検閲結果情報が付与されていないメッセージ情報とを、前記メッセージ表示機能付サーバに送信するメッセージ情報送信手段とを有し、
前記メッセージ表示機能付サーバは、
前記メッセージ保持サーバから送信されたメッセージ情報を受信する第２のメッセージ情報受信手段と、
前記受信したメッセージ情報を記憶する第２のメッセージ記憶手段と、
前記第２のネットワークを介して前記第２の検閲用端末から送信された検閲結果指示に基づいて、前記第２のメッセージ記憶手段に記憶されているメッセージ情報の各々に、当該メッセージ情報が表示可能か否かを示す検閲結果情報を付与する第２の検閲結果受付手段と、
前記第２のメッセージ記憶手段に記憶しているメッセージ情報のうち、表示可能を示す検閲結果情報が付与されているメッセージ情報を表示する表示手段と、
を有することを特徴とするメッセージ表示システム。
【請求項２】
請求項１記載のメッセージ表示システムであって、
前記メッセージ情報には、当該メッセージ情報の送信を指示した送信者を示す情報が含まれ、
前記メッセージ保持サーバは、
メッセージ情報の送信者を示す情報と、当該送信者のカテゴリ情報とを記憶するメッセージ送信者記憶手段と、
前記メッセージ送信者記憶手段を参照し、前記受信したメッセージ情報に含まれる送信者を示す情報から当該送信者のカテゴリ情報を取得し、取得したカテゴリ情報を前記受信したメッセージ情報に付与するカテゴリ情報付与手段とをさらに有し、
前記メッセージ表示機能付サーバは、
入力されたカテゴリ情報を取得するカテゴリ情報取得手段をさらに有し、
前記表示手段は、前記第２のメッセージ記憶手段に記憶しているメッセージ情報のうち、表示可能を示す検閲結果情報が付与されており、且つ、前記カテゴリ情報取得手段により取得したカテゴリ情報と同じカテゴリ情報が付与されているメッセージ情報を表示することを特徴とするメッセージ表示システム。
【請求項３】
文字列及び画像少なくとも１つを含むメッセージ情報を表示する表示システムであって、
第１のネットワークを介して、第１の検閲用端末に接続されるメッセージ保持サーバと、
第２のネットワークを介して、第２の検閲用端末に接続されると共に、前記第１のネットワークを介して前記メッセージ保持サーバと接続されるメッセージ表示機能付サーバとを備え、
前記メッセージ保持サーバが、
メッセージ情報の送信を指示した送信者を示す情報と、当該送信者のカテゴリ情報とを記憶するメッセージ送信者記憶手段と、
前記第１のネットワークを介して送信された、送信者を示す情報を含むメッセージ情報を受信する第１のメッセージ受信手段と、
前記メッセージ送信者記憶手段を参照し、前記受信したメッセージ情報に含まれる送信者を示す情報から、当該送信者のカテゴリ情報を取得し、取得したカテゴリ情報を前記受信したメッセージ情報に付与するカテゴリ情報付与手段と、
前記受信したメッセージ情報を記憶する第１のメッセージ記憶手段と、
前記第１のネットワークを介して前記第１の検閲用端末から送信されたカテゴリ情報を含む検閲要求に応じて、当該カテゴリ情報と一致するカテゴリ情報を付与されたメッセージ情報を前記第１のメッセージ記憶手段から読出し、当該読み出したメッセージ情報を、前記検閲要求を送信した第１の検閲用端末に送信する第１の検閲受付手段と、
前記第１のネットワークを介して前記第１の検閲用端末から送信された検閲結果指示に基づいて、前記第１のメッセージ記憶手段に記憶されているメッセージ情報の各々に、当該メッセージ情報が表示可能か否かを示す検閲結果情報を付与する第１の検閲結果受付手段と、
前記メッセージ表示機能付サーバから送信されたメッセージ送信要求を受信すると、前記第１のメッセージ記憶手段に記憶されているメッセージ情報のうち、表示可能を示す検閲結果情報が付与されているメッセージ情報と、検閲結果情報が付与されていないメッセージ情報とを、前記メッセージ表示機能付サーバに送信するメッセージ情報送信手段とを有し、
前記メッセージ表示機能付サーバは、
前記メッセージ保持サーバから送信されたメッセージ情報を受信する第２のメッセージ情報受信手段と、
前記受信したメッセージ情報を記憶する第２のメッセージ記憶手段と、
前記第２のネットワークを介して前記第２の検閲用端末から送信されたカテゴリ情報を含む検閲要求に応じて、当該カテゴリ情報と一致するカテゴリ情報を付与されたメッセージ情報を前記第２のメッセージ記憶手段から読出し、当該読み出したメッセージ情報を、前記検閲要求を送信した第２の検閲用端末に送信する第２の検閲受付手段と、
前記第２のネットワークを介して前記第２の検閲用端末から送信された検閲結果指示に基づいて、前記第２のメッセージ記憶手段に記憶されているメッセージ情報の各々に、当該メッセージ情報が表示可能か否かを示す検閲結果情報を付与する第２の検閲結果受付手段と、
前記第２のメッセージ記憶手段に記憶しているメッセージ情報のうち、表示可能を示す検閲結果情報が付与されているメッセージ情報を表示する表示手段と、
を有することを特徴とするメッセージ表示システム。
【請求項４】
コンピュータが、文字列及び画像少なくとも１つを含むメッセージ情報を表示するメッセージ表示方法であって、
第１のネットワークを介して、第１の検閲用端末と接続されるメッセージ保持サーバと、
第２のネットワークを介して、第２の検閲用端末に接続されると共に、前記第１のネットワークを介して前記メッセージ保持サーバと接続されるメッセージ表示機能付サーバとを備え、
前記メッセージ保持サーバが、
前記第１のネットワークを介して送信されたメッセージ情報を受信する第１のメッセージ受信ステップと、
前記受信したメッセージ情報を第１の記憶手段に記憶する第１のメッセージ記憶ステップと、
前記第１のネットワークを介して前記第１の検閲用端末から送信された検閲結果指示に基づいて、前記第１の記憶手段に記憶されているメッセージ情報の各々に、当該メッセージ情報が表示可能か否かを示す検閲結果情報を付与する第１の検閲結果受付ステップと、
前記メッセージ表示機能付サーバから送信されたメッセージ送信要求を受信すると、前記第１の記憶手段に記憶されているメッセージ情報のうち、表示可能を示す検閲結果情報が付与されているメッセージ情報と、検閲結果情報が付与されていないメッセージ情報とを、前記メッセージ表示機能付サーバに送信する第１のメッセージ情報送信ステップとを有し、
前記メッセージ表示機能付サーバは、
前記メッセージ保持サーバから送信されたメッセージ情報を受信する第２のメッセージ情報受信ステップと、
前記受信したメッセージ情報を第２の記憶手段に記憶する第２のメッセージ情報記憶ステップと、
前記第２のネットワークを介して前記第２の検閲用端末から送信された検閲結果指示に基づいて、前記第２の記憶手段に記憶されているメッセージ情報の各々に、当該メッセージ情報が表示可能か否かを示す検閲結果情報を付与する第２の検閲結果受付ステップと、
前記第２の記憶手段に記憶しているメッセージ情報のうち、表示可能を示す検閲結果情報が付与されているメッセージ情報を表示する表示ステップと、
を有することを特徴とするメッセージ表示方法。
【請求項５】
文字列及び画像少なくとも１つを含むメッセージ情報を表示するための、コンピュータ読み取り可能なメッセージ表示プログラムであって、
第１のネットワークを介して、第１の検閲用端末と接続されるメッセージ保持サーバと、
第２のネットワークを介して、第２の検閲用端末に接続されると共に、前記第１のネットワークを介して前記メッセージ保持サーバと接続されるメッセージ表示機能付サーバとを備え、
前記メッセージ保持サーバが、
前記第１のネットワークを介して送信されたメッセージ情報を受信する第１のメッセージ受信ステップと、
前記受信したメッセージ情報を第１の記憶手段に記憶する第１のメッセージ記憶ステップと、
前記第１のネットワークを介して前記第１の検閲用端末から送信された検閲結果指示に基づいて、前記第１の記憶手段に記憶されているメッセージ情報の各々に、当該メッセージ情報が表示可能か否かを示す検閲結果情報を付与する第１の検閲結果受付ステップと、
前記メッセージ表示機能付サーバから送信されたメッセージ送信要求を受信すると、前記第１の記憶手段に記憶されているメッセージ情報のうち、表示可能を示す検閲結果情報が付与されているメッセージ情報と、検閲結果情報が付与されていないメッセージ情報とを、前記メッセージ表示機能付サーバに送信する第１のメッセージ情報送信ステップとを有し、
前記メッセージ表示機能付サーバは、
前記メッセージ保持サーバから送信されたメッセージ情報を受信する第２のメッセージ情報受信ステップと、
前記受信したメッセージ情報を第２の記憶手段に記憶する第２のメッセージ情報記憶ステップと、
前記第２のネットワークを介して前記第２の検閲用端末から送信された検閲結果指示に基づいて、前記第２の記憶手段に記憶されているメッセージ情報の各々に、当該メッセージ情報が表示可能か否かを示す検閲結果情報を付与する第２の検閲結果受付ステップと、
前記第２の記憶手段に記憶しているメッセージ情報のうち、表示可能を示す検閲結果情報が付与されているメッセージ情報を表示する表示ステップと、
をコンピュータに実行させることを特徴とするメッセージ表示プログラム。
【発明の詳細な説明】
【技術分野】
【０００１】
本発明は、結婚式や葬式等のイベント会場に設置された表示装置にメッセージを表示する技術に関するものである。
【背景技術】
【０００２】
結婚式や葬式等のイベントに参加できない人は、祝電、弔電等のメッセージをイベント会場に送ることがある。イベント会場では、祝電、弔電等の電報を、司会者等により読み上げられたり、会場に掲示されたりすることによりイベントの参加者に掲示する。
【０００３】
しかし、電報を送付するためには費用がかかり、また、イベント会場で掲示等するためには時間、人手、場所等が必要である。このような課題を解決するため、特許文献１には、電光掲示板やスクリーン等にメッセージを表示することが記載されている。
【０００４】
【特許文献１】特開２００３−１６２５９２号広報
【発明の開示】
【発明が解決しようとする課題】
【０００５】
特許文献１のように、電光掲示板やスクリーン等へメッセージを表示する際、当該メッセージに不適切な表現が含まれているか否か、人手により事前にメッセージを検閲する場合がある。
【０００６】
イベント会場のディスプレイ等の表示装置へメッセージを表示する前に、イベントの主催者等がメッセージを検閲する場合の例を説明する。サービス会社のサーバと、メッセージ送信者の情報端末と、イベント主催者の情報端末とは、通信ネットワークを介して接続されている。サービス会社のサーバは、メッセージ送信者の情報端末から送信された、文字列や画像を含むメッセージ情報を受信して記憶する。サーバは、主催者等の情報端末から検閲要求を受信すると、記憶したメッセージ情報を、主催者の情報端末で実行するブラウザ等で閲覧可能な状態で送信する。主催者は、情報端末を操作してブラウザ等でメッセージを閲覧し、表示装置に表示許可か否か判定する。主催者等は、情報端末を操作して、検閲結果をサービス会社のサーバ等に送信する。サーバは、メッセージ情報と対応づけて検閲結果を記憶する。イベントが開始されると、サーバは、表示許可と判定されたメッセージ情報を、イベント会場のディスプレイ等の表示装置に送信する。表示装置は、メッセージをブラウザ等により表示する。
【０００７】
メッセージ情報は、イベント開始直前又はイベント中にも送信されるので、上述の検閲は、イベント会場でも行われる場合がある。このようなメッセージ情報をイベント会場で検閲する場合の動作を説明する。主催者は、イベント会場にて通信ネットワークと情報端末とを接続し、当該情報端末上で実行するブラウザ等でメッセージを確認し、検閲結果をサービス会社のサーバに送信する。サービス会社のサーバは、掲示可能と判定されたメッセージ情報を表示装置に送信する。表示装置は、当該メッセージをブラウザ等により表示する。
【０００８】
ところが、イベント会場から通信ネットワークまでは、例えば携帯電話やダイヤルアップ接続など、画像等を含む大容量のデータ送信に不向きな通信回線で接続される場合がある。このような場合、メッセージ情報の送受信に時間がかかるので、イベント会場で、まず、サーバから通信ネットワークを介して検閲用の情報端末へメッセージ情報を送信して検閲し、次に、サーバから通信ネットワークを介して表示装置へ表示するメッセージ情報を送信するという処理を行うと、メッセージを表示装置へ表示するのが遅くなる。
【０００９】
本発明はこのような事情に鑑みてなされたもので、イベント中に受信したメッセージ情報であっても、当該メッセージ情報を迅速に表示することのできる技術を提供することを目的とする。
【課題を解決するための手段】
【００１０】
本発明は上記の目的を達成するためになされたもので、イベント会場に設置した表示装置にメッセージを表示するシステムであって、サービス会社のサーバは、第１の通信ネットワークを介して表示装置からのメッセージ情報送信要求を受信すると、記憶手段に格納されたメッセージ情報のうち表示装置に表示可能なメッセージ情報を送信し、さらに、当該要求を受信した以降にメッセージ情報を受信すると、表示可能か否かにかかわらず全てのメッセージ情報を表示装置に送信する。表示装置は、第２の通信ネットワークを介してメッセージ情報を検閲用通信端末に送信し、表示可能とされたメッセージ情報のみを表示するシステムである。
【００１１】
そのために、例えば、文字列及び画像少なくとも１つを含むメッセージ情報を表示するメッセージ表示システムであって、第１のネットワークを介して、第１の検閲用端末と接続されるメッセージ保持サーバと、第２のネットワークを介して、第２の検閲用端末に接続されると共に、前記第１のネットワークを介して前記メッセージ保持サーバと接続されるメッセージ表示機能付サーバとを備え、前記メッセージ保持サーバが、前記第１のネットワークを介して送信されたメッセージ情報を受信する第１のメッセージ受信手段と、前記受信したメッセージ情報を記憶する第１のメッセージ記憶手段と、前記第１のネットワークを介して前記第１の検閲用端末から送信された検閲結果指示に基づいて、前記第１のメッセージ記憶手段に記憶されているメッセージ情報の各々に、当該メッセージ情報が表示可能か否かを示す検閲結果情報を付与する第１の検閲結果受付手段と、前記メッセージ表示機能付サーバから送信されたメッセージ送信要求を受信すると、前記第１のメッセージ記憶手段に記憶されているメッセージ情報のうち、表示可能を示す検閲結果情報が付与されているメッセージ情報と、検閲結果情報が付与されていないメッセージ情報とを、前記メッセージ表示機能付サーバに送信するメッセージ情報送信手段とを有し、前記メッセージ表示機能付サーバは、前記メッセージ保持サーバから送信されたメッセージ情報を受信する第２のメッセージ情報受信手段と、前記受信したメッセージ情報を記憶する第２のメッセージ記憶手段と、前記第２のネットワークを介して前記第２の検閲用端末から送信された検閲結果指示に基づいて、前記第２のメッセージ記憶手段に記憶されているメッセージ情報の各々に、当該メッセージ情報が表示可能か否かを示す検閲結果情報を付与する第２の検閲結果受付手段と、前記第２のメッセージ記憶手段に記憶しているメッセージ情報のうち、表示可能を示す検閲結果情報が付与されているメッセージ情報を表示する表示手段と、を有することを特徴とする。
【発明の効果】
【００１２】
本発明によるメッセージ表示技術によれば、表示可能と判定された文字列及び画像等を含むメッセージをイベント会場に設置された表示装置に迅速に表示することが可能となる。また、表示装置と通信ネットワークとの間の通信回線を有効に使用することができる。特に、イベント会場から通信ネットワークまでが、大容量データの送受信に不向きな通信回線で接続される場合に効果的である。
【発明を実施するための最良の形態】
【００１３】
以下、本発明の一実施形態を図面を参照して詳細に説明する。
【００１４】
本実施形態は、例えば結婚式や葬式等のイベントにおいて、当該イベントが実施されるイベント会場の表示装置にメッセージを表示するものである。ここでは、イベントが結婚式である場合の実施形態を説明する。本実施形態において、サービス会社とは、イベント会場に設置した表示装置にメッセージを表示するサービスを提供する会社である。また、イベント主催者とは、例えば、結婚式の会場の設定や式の進行等を行う結婚式サービス会社の社員である。
【００１５】
以下で説明する実施例１では、イベント会場の表示装置に表示するメッセージを検閲する検閲者がイベント主催者（結婚式サービス会社の社員）である場合を説明する。また、実施例２では、メッセージを登録した参加者に応じて検閲者が異なる場合を説明する。
＜実施例１＞
図１は、本実施形態における実施例１のシステム例を示す図である。図１において、サービス会社のバックエンドサーバ１１及びメールサーバ１２の各々と、イベント主催者の通信端末５０と、イベントの参加者の通信端末２０と、イベント会場の表示装置４１とはインターネット６０を介して接続される。また、イベントの参加者の携帯電話２１は、キャリアサーバ３０を介してインターネット６０に接続される。
【００１６】
サービス会社では、イントラネット１４を介して、バックエンドサーバ１１、メールサーバ１２、管理端末１３が接続される。管理端末１３には、ＣＤ（Compact Disc）やＤＶＤ（Digital Versatile Disk）等の記録メディアにデータ書き込み可能なディスク駆動装置が接続されるが、ここではＣＤ−Ｒドライブ１３１が接続されるものとして説明する。
【００１７】
イベント会場では、ＬＡＮ（Local Area Network）４３を介して、表示装置４１と通信端末４２とが接続される。
【００１８】
通信端末２０、通信端末４２、通信端末５０、管理端末１３は、例えば、ＰＣ（Personal Computer）等である。
【００１９】
参加者の通信端末２０及び携帯電話２１は、データの送受信や表示を実現するブラウザや電子メールを送受信するプログラムを実行可能であり、それらの機能により、イベント会場の表示装置４１に表示するメッセージを送信する。
【００２０】
メールサーバ１２は、参加者の通信端末２０及び携帯電話２１から送信された、イベント会場の表示装置４１に表示するメッセージを含む電子メールを受信し、当該電子メールを、イントラネット１４を介してバックエンドサーバ１１に送信する。
【００２１】
バックエンドサーバ１１は、参加者の通信端末２０及び携帯電話２１から送信されたメッセージに、送信された検閲結果情報を付与して記憶し、表示装置４１からのメッセージ送信要求を受信すると、記憶したメッセージを表示装置４１に送信する。また、バックエンドサーバ１１は、イベント会場の表示装置４１に表示するメッセージの登録を受け付けるためのウェブページ、及び、メッセージの検閲を受け付けるためのウェブページを提供する。管理端末１３は、データの送受信や表示を実現するブラウザや電子メールを送受信するプログラムを実行可能であり、それらの機能により、バックエンドサーバ１１へ情報を送信する。
【００２２】
イベント主催者の通信端末５０、及び、イベント会場の通信端末４２は、イベント主催者がメッセージを検閲し、さらに、検閲結果情報を送信するためのものである。通信端末５０及び通信端末４２は、データの送受信や表示を実現するブラウザを実行可能であり、ブラウザの機能により、検閲用の情報を受信し、検閲結果情報を送信する。また、通信端末４２には、後述するタイミングで検閲者用認証メモリ４２０１が接続される。検閲者用認証メモリ４２０１は、イベント会場でメッセージを検閲する検閲者を認証するための認証情報を格納するメモリであり、例えば、ＵＳＢフラッシュメモリにより実現される。図２に、検閲者用認証メモリ内４２０１に格納されている情報の一例を示す。図２において、認証情報２０１には、検閲者認証ＩＤ１５０１、検閲者認証パスワード１５０２、イベントＩＤ１５０３等が格納されている。
【００２３】
表示装置４１は、サーバ機能を備え、バックエンドサーバ１１から送信されたメッセージに、送信された検閲結果情報を付与して記憶し、さらに、表示許可を示す検閲結果情報を付与されたメッセージを表示する。
【００２４】
図３は、バックエンドサーバ１１の構成を示す図である。図３において、バックエンドサーバ１１は、ＣＰＵ（Central Processing Unit）１１１、メモリ１１２、ＨＤＤ（Hard Disk Drive）１１３、ディスプレイ、プリンタ、スピーカ等の出力装置１１４、キーボード、マウス等の入力装置１１５、通信ユニット１１６を備える。
【００２５】
ＨＤＤ１１３は、イベント情報ＤＢ１１３１、参加者情報ＤＢ１１３２、メッセージ情報ＤＢ１１３３、返信メール情報ＤＢ１１３４、絵文字変換情報ＤＢ１１３５、検閲者情報ＤＢ１１３６等を記憶する。
【００２６】
イベント情報ＤＢ１１３１とは、イベントに関する情報を記憶するＤＢである。参加者情報ＤＢ１１３２とは、イベントの参加者に関する情報を格納するＤＢである。メッセージ情報ＤＢ１１３３とは、メッセージに関する情報を格納するＤＢである。返信メール情報ＤＢ１１３４とは、メッセージを登録した参加者に送信する電子メールに関する情報を格納するＤＢである。絵文字変換情報ＤＢ１１３５とは、メッセージに含まれる絵文字を、表示装置４１で表示許可な文字列に変換するための情報を格納するＤＢである。検閲者情報ＤＢ１１３６とは、メッセージを検閲する検閲者に関する情報を格納するＤＢである。
【００２７】
図４にイベント情報ＤＢ１１３１の一例を示す。図４において、イベント情報ＤＢ１１３１には、イベントＩＤ１５０３と対応付けて、イベント会場名１５０４、新郎名１５０５、新婦名１５０６、開催日時１５０７、表示タイプ１５０８、カテゴリ情報１５０９等含むイベント情報を複数格納している。イベントＩＤ１５０３とは、イベントの識別情報である。イベント会場名１５０４、開催日時１５０７は、当該イベントが実施される会場及び開始日時である。表示タイプ１５０８とは、メッセージを表示装置４１に表示する際の背景色や、当該背景色の領域等を定める情報である。カテゴリ情報１５０９とは、例えば、新郎の親類、新婦の友人というような、イベントの参加者がどのような人物であるかを示す情報である。イベント情報ＤＢ１１３１には、当該イベントで用いるカテゴリ情報１５０９を格納しており、本実施形態では、イベント毎に使用するカテゴリ情報１５０９を変えることが可能である。図４に示す例では、イベントＩＤ１５０３「１００１」というイベントでは、カテゴリ情報１５０９として、新郎の親類又は友人等を示す「新郎」と、新婦の親類又は友人等を示す「新婦」とを用いることが設定されている。
【００２８】
図５に参加者情報ＤＢ１１３２の一例を示す。図５において、参加者情報ＤＢ１１３２は、イベントＩＤ１５０３と対応付けて、参加者名１５１０、パスワード１５１１、カテゴリ情報１５０９等を含む参加者情報を複数格納している。参加者名１５１０とは、イベントの参加者の氏名である。パスワード１５１１とは、イベント会場の表示装置４１に表示するメッセージを登録する際に必要な文字列である。このパスワード１５１１は、例えば、イベントの参加者毎に異なる文字列でもよく、また、イベント毎に異なる文字列でもよい。カテゴリ情報１５０９とは、イベントの参加者がどのような人物であるかを示す情報であり、上述のイベント情報ＤＢ１１３１のイベント情報に含まれるカテゴリ情報１５０９の何れかである。図５の例では、参加者名１５１０「Ｍ」のカテゴリ情報１５０９は「新郎」であり、新郎の友人又は親類を示している。また、参加者名１５１０「Ｎ」のカテゴリ情報１５０９は「新婦」であり、新婦の友人又は親類を示している。
【００２９】
図６にメッセージ情報ＤＢ１１３３の一例を示す。図６において、メッセージ情報ＤＢ１１３３には、イベントＩＤ１５０３と対応付けて、メッセージＩＤ１５１２、差出人１５１３、文字列１５１４、画像１５１５、通番１５１６、カテゴリ情報１５０９、検閲結果情報１５１７、検閲フラグ１５１８等を含むメッセージ情報が複数格納されている。メッセージＩＤ１５１２とは、メッセージ情報の識別情報である。差出人１５１３とは、当該メッセージを登録した参加者名１５１０である。文字列１５１４及び画像１５１５とは、イベント会場の表示装置４１で表示する文字列及び画像であり、文字列１５１４及び画像１５１５のうち少なくとも一方でもよい。以下、イベント会場の表示装置４１で表示する文字列１５１４及び画像１５１５を単にメッセージという。なお、図６の「Ｘ」、「○」、「△」、「◇」は任意の文字列を示す。通番１５１６とは、同一差出人１５１３からのメッセージを登録した回数を示すものである。カテゴリ情報１５０９とは、当該メッセージを登録した参加者（差出人１５１３）のカテゴリ情報１５０９であり、上述のイベント情報ＤＢ１１３１のイベント情報に含まれるカテゴリ情報１５０９の何れかである。検閲結果情報１５１７とは、当該メッセージがイベント会場の表示装置４１に表示許可か否かを示す情報である。検閲フラグ１５１８とは、当該メッセージを検閲したか否かを示すフラグである。図６の例では、検閲済みを示すフラグを「済」、未検閲を示すフラグを「未」で示す。
【００３０】
図７に返信メール情報ＤＢ１１３４の一例を示す。図７において、返信メール情報ＤＢ１１３４には、イベントＩＤ１５０３と対応付けて、文字列１５１９と画像１５２０等を含む返信メール情報が複数格納されている。文字列１５１９及び画像１５２０は、イベント会場の表示装置４１に表示するメッセージを登録した参加者宛てに送信する電子メールに含める情報である。図７の「○」、「△」、「◇」は任意の文字列を示す。
【００３１】
なお、図７の例では、イベント毎に１の返信メール情報を格納しているが、返信メール情報の数は１に限られるわけではない。また、図７の例では、文字列及び画像の両方を含むものとしているが、いずれか一方でもよい。
【００３２】
図８に絵文字変換情報ＤＢ１１３５の一例を示す。図８において、絵文字変換情報ＤＢ１１３５には、絵文字１５２１と、当該絵文字１５２１に対応する対応語１５２２等が１組以上格納される。絵文字１５２１とは、例えば携帯電話の機種等に特有の記号であり、表示装置４１で表示できない記号である。図８において「ＸＢ８Ｂ５」等は任意の絵文字１５２１を示している。対応語１５２２とは、絵文字１５２１に対し置き換える文字列である。例えば、図８の例では「ＸＢ８Ｂ５」という絵文字１５２１を「ハート」という文字列に置き換えることを示している。
【００３３】
図９に、検閲者情報ＤＢ１１３６の一例を示す。図９において、検閲者情報ＤＢ１１３６は、イベントＩＤ１５０３と対応付けて、検閲者認証ＩＤ１５０１、検閲者認証パスワード１５０２等を含む検閲者情報を１以上格納する。検閲者認証ＩＤ１５０１及び検閲者認証パスワード１５０２とは、検閲者を認証するための情報である。
【００３４】
上述した絵文字変換情報ＤＢ１１３５は、予めＨＤＤ１１３に格納してもよく、また、サービス会社の社員が管理端末１３又はバックエンドサーバ１１の入力装置１１５を用いて格納、変更、追加等してもよい。また、イベント情報ＤＢ１１３１、参加者情報ＤＢ１１３２、メッセージ情報ＤＢ１１３３、返信メール情報ＤＢ１１３４、検閲者情報ＤＢ１１３６は、後述する動作によりＨＤＤ１１３に格納されるものとする。
【００３５】
図１０は、表示装置４１の構成を示す図である。図１０において、表示装置４１は、ＣＰＵ４１０１、ディスプレイ４１０２、光センサ４１０３、無線タグリーダ４１０４、通信ユニット４１０５、メモリ４１０６、ＨＤＤ４１０７、コネクタ４１０９等を備える。各々の構成は、メインバス４１１０を介して接続される。さらに、表示装置４１には、後述するタイミングで、コネクタ４１０９に表示装置用設定メモリ４１０８が接続される。
【００３６】
表示装置用設定メモリ４１０８とは、メッセージ情報表示を要求する際の認証情報を格納するものである。ここでは、表示装置用設定メモリ４１０８は、ＵＳＢコネクタに接続して用いるＵＳＢフラッシュメモリにより実現するものとして説明する。
【００３７】
図１１に、表示装置用設定メモリ４１０８内に格納されている認証情報４１１１の一例を示す。図１１において、認証情報４１１１は、ディスプレイＩＤ１５２３、ディスプレイ認証コード１５２４、イベントＩＤ１５０３等を含む。ディスプレイＩＤ１５２３及びディスプレイ認証コード１５２４とは、表示装置４１が、表示装置用設定メモリ４１０８が接続された場合に、当該表示装置用設定メモリ４１０８を認証するための情報である。
【００３８】
ＨＤＤ４１０７には、後述するタイミングにより、イベント会場で検閲する検閲者を認証するためのテーブル、表示装置用設定メモリ４１０８を認証するためのテーブル、イベント会場名、例えばＩＰアドレスのようなバックエンドサーバ１１と通信するための接続情報等が格納される。
【００３９】
以下、メッセージ表示システムの動作を説明する。以下で説明する動作は、各装置のＣＰＵがメモリにロードしたプログラムを実行することにより実現する。
【００４０】
図１２は、イベント主催者がサービス会社に、メッセージ表示サービスを申し込むシーケンスの一例を説明する図である。図１３は、メッセージ表示サービスの申込を受けた場合、バックエンドサーバ１１が各情報を登録する動作例を示す図である。メッセージ表示サービスの申し込みは、イベント主催者が、通信端末５０を用いて、インターネット６０上に開設されたサービス会社のウェブページにアクセスし、ウェブページ上のサービス申し込みフォームを用いて必要な情報を送信してもよく、郵送や電話等により申し込まれた内容をサービス会社の社員が管理端末１３等を用いて入力してもよいが、ここでは、電子メールにより必要な情報を送受信し、サービス会社の社員が管理端末１３を用いて必要な情報の格納を指示する例を説明する。
【００４１】
イベント主催者は、通信端末５０を用いて、メッセージ表示サービスを申し込む旨と、メッセージ表示サービスを適用するイベントを実施するイベント会場名１５０４、新郎名１５０５、新婦名１５０６、開催日時１５０７、表示タイプ１５０８、例えば「新郎」、「新婦」など当該イベントで用いるカテゴリ情報１５０９等を通知する電子メールを作成し、当該電子メールの送信を指示する。通信端末５０のＣＰＵ（図示略）は、メモリ（図示略）にロードした電子メールを送受信するプログラムを実行することにより、当該電子メールをサービス会社の管理端末１３に送信する（図１２におけるステップ１２０１）。さらに、通信端末５０のＣＰＵは、イベント主催者の指示に従い、電子メールを送受信するプログラムを実行することにより、イベントへの参加者名１５１０と、参加者毎のカテゴリ情報１５０９等を通知する電子メールを、管理端末１３に送信する（図１２におけるステップ１２０２）。
【００４２】
管理端末１３のＣＰＵ（図示略）は、メモリ（図示略）にロードした電子メールを送受信するプログラムを実行することにより、上述の電子メールを受信する。当該電子メールを確認したサービス会社の社員は、管理端末１３を用いて、イベントを実施するイベント会場名１５０４、新郎名１５０５、新婦名１５０６、開催日時１５０７、表示タイプ１５０８、当該イベントで用いるカテゴリ情報１５０９、参加者名１５１０、参加者毎のカテゴリ情報１５０９等イベント主催者から通知された情報と、イベントＩＤ１５０３、メッセージを登録する際に必要なパスワード１５１１、検閲者認証ＩＤ１５０１、検閲者認証パスワード１５０２等サービス会社で決定される情報とを入力し、バックエンドサーバ１１に各情報の記憶を指示する。管理端末１３のＣＰＵは、指示に従い、入力された情報をバックエンドサーバ１１へ送信する（図１２におけるステップ１２０３）。
【００４３】
この動作は、例えば、管理端末１３のＣＰＵが、メモリにロードしたブラウザ等のプログラムを実行し、当該プログラムの機能により、サービス会社の社員により入力された情報を送信することで実現する。また、例えば、イベント主催者が、上述の情報を含む特定フォーマットのファイルを添付ファイルとして電子メールで送信し、管理端末１３のＣＰＵは、メモリにロードしたブラウザ等のプログラムを実行し、当該プログラムの機能により、当該電子メールに添付されたファイルと、サービス会社の社員により入力された情報とを送信することで実現する。
【００４４】
なお、イベントＩＤ１５０３、メッセージを登録する際に必要な参加者毎のパスワード１５１１、検閲者認証ＩＤ１５０１、検閲者認証パスワード１５０２は、サービス会社の社員が任意で決定したものを用いてもよく、管理端末１３又はバックエンドサーバ１１等が決定したものを用いてもよい。
【００４５】
管理端末１３の指示に従い、バックエンドサーバ１１のＣＰＵ１１１は、メモリ１１２にロードしたプログラムを実行することにより、イベント情報ＤＢ１１３１、検閲者情報ＤＢ１１３６、参加者情報ＤＢ１１３２に、管理端末１３から送信された情報を格納する。具体的には、バックエンドサーバ１１のＣＰＵ１１１は、イベント会場名１５０４、新郎名１５０５、新婦名１５０６、開催日時１５０７、表示タイプ１５０８、「新郎」、「新婦」等当該イベントで用いるカテゴリ情報１５０９等を含むイベント情報を、イベントＩＤ１５０３と対応付けてイベント情報ＤＢ１１３１に格納する（図１３におけるステップ１３０１）。
【００４６】
さらに、バックエンドサーバ１１のＣＰＵ１１１は、検証者認証ＩＤ１５０１、検証者認証パスワード１５０２等を含む検証者情報をイベントＩＤ１５０３と対応付けて検閲者情報ＤＢ１１３６に格納する（図１３におけるステップ１３０２）。
【００４７】
さらに、バックエンドサーバ１１のＣＰＵ１１１は、参加者名１５１０、メッセージを登録する際に必要なパスワード１５１１、当該参加者のカテゴリ情報１５０９等を含む参加者情報を、イベントＩＤ１５０３と対応付けて参加者情報ＤＢ１１３２に格納する（図１３におけるステップ１３０３）。
【００４８】
次に、サービス会社の社員の指示に従い、管理端末１３のＣＰＵは、メモリにロードしたプログラムを実行することにより、メッセージを登録する際に必要なパスワード１５１１、メッセージ登録を受け付けるウェブページのＵＲＬ、メッセージ登録を受け付ける電子メールアドレス等のイベント参加者に通知する情報と、メッセージの検閲を受け付けるＵＲＬ、検閲者認証ＩＤ１５０１、検閲者認証パスワード１５０２等の検閲者に通知する情報とを、イベント主催者の通信端末５０に送信する（図１２におけるステップ１２０４）。
【００４９】
なお、ここでは、メッセージ登録を受け付けるＵＲＬ、メッセージの登録を受け付ける電子メールアドレス、メッセージの検閲を受け付けるＵＲＬはイベント毎に異なるものとし、バックエンドサーバ１１のＨＤＤ１１３等に、メッセージ登録を受け付けるＵＲＬと、メッセージの登録を受け付ける電子メールアドレスと、メッセージの検閲を受け付けるＵＲＬとをイベントＩＤ１５０３と対応付けて記憶するテーブル等を有するものとする。以下、このテーブルをイベント特定テーブルとする。
【００５０】
イベント主催者の指示に従い、通信端末５０のＣＰＵは、メモリにロードしたプログラムを実行することにより、メッセージを登録した参加者宛てに送信する電子メールに含む文字列及び画像を管理端末１３に送信する（図１２におけるステップ１２０５）。
【００５１】
サービス会社の社員は、上述と同様に、通信端末５０から送信された情報の送信を指示する。当該指示に従い、管理端末１３のＣＰＵは、メモリにロードしたプログラムを実行することにより、メッセージを登録した参加者宛てに送信する電子メールに含む文字列及び画像をバックエンドサーバ１１に送信する。
【００５２】
管理端末１３の指示に従い、バックエンドサーバ１１のＣＰＵ１１１は、メモリにロードしたプログラムを実行することにより、受信した文字列及び画像等を含む返信メール情報をイベントＩＤ１５０３と対応付けて、ＨＤＤ１１３の返信メール情報ＤＢ１１３４に格納する（図１３におけるステップ１３０４）。
【００５３】
上述のようにメッセージ表示サービスを受け付けた後、サービス会社の社員は、イベント会場でメッセージを表示する表示装置４１のＨＤＤ４１０７に、イベント会場で検閲する検閲者を認証するためのテーブル、表示装置用設定メモリ４１０８を認証するためのテーブル、イベント会場名１５０４、バックエンドサーバ１１と接続するための接続情報等を格納しておく。以下、イベント会場で検閲する検閲者を認証するためのテーブルを表示装置用検閲者認証テーブルという。また、表示装置用設定メモリ４１０８を認証するためのテーブルを表示装置用設定メモリ認証テーブルという。表示装置用検閲者認証テーブルは、少なくとも、表示装置４１がイベント会場に設置される月日に、当該表示装置４１を用いてメッセージを表示するイベントのイベントＩＤ１５０３に対応する検閲者情報を格納する。また、表示装置用設定メモリ認証テーブルは、少なくとも、表示装置４１のディスプレイＩＤ１５２３、ディスプレイ認証コード１５２４、表示装置４１がイベント会場に設置される月日に当該表示装置４１を用いてメッセージを表示するイベントのイベントＩＤ１５０３等を格納する。
【００５４】
サービス会社の社員は、イベント会場の通信端末４２と接続する検閲者用認証メモリ４２０１に、検閲者認証ＩＤ１５０１、検閲者認証パスワード１５０２、イベントＩＤ１５０３等を格納しておく。また、表示装置４１に接続する表示装置用設定メモリ４１０８に、ディスプレイＩＤ１５２３、ディスプレイ認証コード１５２４、イベントＩＤ１５０３等を格納しておく。
【００５５】
サービス会社の社員は、参加者毎にカードを用意し、イベント主催者等に郵送等しておく。このカードは、例えば、イベントの招待状等に同封されるカードである。カードには、無線通信可能な機能が備えられており、ここでは、ＩＣタグにより無線通信を実現するものとする。予め、カードのＩＣタグには、当該参加者のカテゴリ情報１５０９が格納されている。
【００５６】
イベント主催者は、電子メールや郵便等により、メッセージを登録する際に必要なパスワード１５１１、メッセージ登録を受け付けるウェブページのＵＲＬ、メッセージ登録を受け付ける電子メールアドレス等のイベント参加者に通知する情報を、各参加者に通知しておく。さらに、イベント主催者は、各参加者に、サービス会社の社員により用意されたＩＣタグ付カードを郵送等しておく。
【００５７】
次に、イベントが実施される前に、イベント会場の表示装置４１で表示するメッセージを登録する動作例を説明する。図１４は、連絡されたＵＲＬにアクセスしてメッセージを登録するシーケンス例であり、図１５は、連絡された電子メールアドレス宛に電子メールを送信してメッセージを登録するシーケンス例である。図１６は、バックエンドサーバ１１が受信したメッセージを記憶する動作例である。参加者は、通信端末２０又は携帯電話２１どちらを用いてもメッセージを登録することができるが、ここでは、通信端末２０を用いてメッセージを登録する例を説明する。
【００５８】
まず、ＵＲＬにアクセスしてメッセージを登録する動作例を説明する。参加者は、通信端末２０を操作して、予めイベント主催者等に通知されたＵＲＬを入力等し、接続要求を指示する。通信端末２０のＣＰＵ（図示略）は、メモリ（図示略）にロードしたプログラムを実行することによりブラウザの機能を実現し、当該機能により、バックエンドサーバ１１に接続要求を送信する（図１４におけるステップ１４０１）。接続要求を受信すると、バックエンドサーバ１１のＣＰＵ１１１はメモリ１１２にロードしたプログラムを実行することにより、パスワード等を入力させるための画面データ等を送信する（図１４におけるステップ１４０２）。さらに、バックエンドサーバ１１のＣＰＵ１１１は、ＵＲＬから、メッセージを登録するイベントのイベントＩＤ１５０３を取得する。具体的には、例えば、バックエンドサーバ１１のＣＰＵ１１１は、ＨＤＤ１１３等に格納しているイベント特定テーブル等を参照し、当該ＵＲＬに対応するイベントＩＤ１５０３を取得する。
【００５９】
通信端末２０のＣＰＵは、ブラウザの機能により、受信した画面データ等に基づいて、パスワードを入力させるための画面をディスプレイ（図示略）に表示する。イベントの参加者は、通信端末２０を操作し、予めイベント主催者に通知された文字列を入力する。通信端末２０のＣＰＵは、ブラウザの機能により、入力された文字列を認証情報としてバックエンドサーバ１１に送信する（図１４におけるステップ１４０３）。
【００６０】
バックエンドサーバ１１は、通信端末２０から送信された文字列を受信する。次に、バックエンドサーバ１１のＣＰＵ１１１は、参加者情報ＤＢ１１３２を参照し、取得したイベントＩＤ１５０３に対応する参加者情報内のパスワード１５１１に、受信した文字列が含まれているか否か判定する（図１４におけるステップ１４０４）。判定の結果、受信した文字列が含まれている場合、バックエンドサーバ１１のＣＰＵ１１１は、メッセージを入力するための画面データを送信する（図１４におけるステップ１４０５）。判定の結果、受信した文字列が含まれていない場合、バックエンドサーバ１１のＣＰＵ１１１は、エラーを示す情報を通信端末２０に送信する。
【００６１】
通信端末２０のＣＰＵは、ブラウザの機能により、受信したデータに基づいて、メッセージを登録するための画面をディスプレイに表示する。図１７に、メッセージを登録するための画面例である画面１７０１を示す。画面１７０１の例は、式場名１５２５（イベント会場名１５０４）、披露宴開催日１５２６（開催日時１５０７）、新郎名１５０５、新婦名１５０６、差出人１５１３（参加者名１５１０）、電子メールアドレス１５２７、添付画１５２８、文字列であるメッセージ１５２９を入力させる例である。図１７の例において、添付画１５２８とは、イベント会場の表示装置４１で表示する画像１５１５である。メッセージ１５２９とは、イベント会場の表示装置４１で表示する文字列１５１４である。
【００６２】
参加者は、通信端末２０を操作し、図１７に一例を示す画面に従う等して、イベント会場名１５０４、開催日時１５０７、新郎名１５０５、新婦名１５０６、参加者名１５１０、電子メールアドレス１５２７、文字列１５１４等の情報を入力し、さらに、画像１５１５を添付する等して、情報の送信を指示する。当該指示に従い、通信端末２０のＣＰＵは、ブラウザの機能により、入力等された各情報をバックエンドサーバ１１に送信する（図１４におけるステップ１４０６）。バックエンドサーバ１１のＣＰＵ１１１は、通信端末２０から送信された情報を受信し、ＨＤＤ１１３内のメッセージ情報ＤＢ１１３３に、取得したイベントＩＤ１５０３と対応付けて当該情報を記憶する。
【００６３】
バックエンドサーバ１１が、参加者から送信された情報を記憶する動作を、図１６を参照して詳細に説明する。バックエンドサーバ１１のＣＰＵ１１１は、メモリ１１２にロードしたプログラムを実行することにより、絵文字変換情報ＤＢ１１３５を参照し、通信端末２０から送信された文字列中に、絵文字変換情報ＤＢ１１３５内の絵文字１５２１と一致する記号があるか否か判定する。一致する記号がある場合、当該記号を対応する対応語１５２２に変換する（図１６におけるステップ１６０１）。次に、バックエンドサーバ１１のＣＰＵ１１１は、参加者情報ＤＢ１１３２を参照し、差出人１５１３（参加者名１５１０）から、当該参加者のカテゴリ情報１５０９を取得する（図１６におけるステップ１６０２）。次に、バックエンドサーバ１１は、当該メッセージ情報の通番１５１６を取得する（図１６におけるステップ１６０３）。具体的には、例えば、メッセージ情報ＤＢ１１３３内に、同じイベントＩＤ１５０３を対応付けられており、且つ、差出人１５１３（参加者名１５１０）が同一であるメッセージ情報が格納されているか否か判定し、該当するメッセージ情報が既に記憶されている場合、既に記憶されているメッセージ情報の数に応じて通番１５１６を取得する。ここでは、同一参加者のメッセージ情報がメッセージ情報ＤＢ１１３３内にない場合、当該メッセージ情報の通番１５１６を「１」とする。
【００６４】
次に、バックエンドサーバ１１のＣＰＵ１１１は、メッセージ情報ＤＢ１１３３を参照し、同じイベントＩＤ１５０３と対応付けられているメッセージ情報の数をメッセージＩＤ１５１２とし、当該メッセージＩＤ１５１２と対応付けて、差出人１５１３、文字列１５１４（メッセージ１５２９）、画像１５１５（添付画１５２８）、通番１５１６、カテゴリ情報１５０９等をメッセージ情報としてメッセージ情報ＤＢ１１３３に追加格納する。さらに、バックエンドサーバ１１は、メッセージＩＤ１５１２と対応付けて、検閲していないことを示す検閲フラグ１５１８を付与してメッセージ情報ＤＢ１１３３に格納する（図１６におけるステップ１６０４）。
【００６５】
次に、バックエンドサーバ１１のＣＰＵ１１１は、取得したイベントＩＤ１５０３に対応するイベントのメッセージ送信要求を受信しているか否か判定する（図１６におけるステップ１６０５）。そのために、例えば、バックエンドサーバ１１のＣＰＵ１１１はメッセージ送信要求を受信した場合、当該要求を受信したことを示すフラグをオン又はオフとし、当該フラグによりステップ１６０５の判定処理を行ってもよい。
【００６６】
ここでは、イベントはまだ実施されていないので、バックエンドサーバ１１のＣＰＵ１１１は、イベントＩＤ１５０３に基づいて、返信メール情報ＤＢ１１３４から当該イベントに対応する文字列１５１９及び画像１５２０等を読み出し、当該文字列１５１９及び画像１５２０を含む電子メールを作成し、取得した電子メールアドレス１５２７宛てに当該電子メールを送信する（図１４におけるステップ１４０７、図１６におけるステップ１６０６）。
【００６７】
次に、電子メールで通知されたメッセージを登録する動作例を説明する。ここでは、管理端末１３が、差出人１５１３（参加者名１５１０）、メッセージ（イベント会場の表示装置４１で表示する文字列１５１４及び画像１５１５）、カテゴリ情報１５０９等の情報を、サービス会社の社員の指示に従うことにより取得するものとする。この動作例は、上述した動作と一部一致するので、重複する動作に関しては簡単に説明する。
【００６８】
参加者は通信端末２０を操作して電子メールソフトの起動を指示し、イベント主催者から通知された電子メールアドレス宛てに、イベント会場名１５０４、開催日時１５０７、新郎名１５０５、新婦名１５０６、自身の氏名（差出人１５１３）、電子メールアドレス１５２７、添付画１５２８（画像１５１５）、メッセージ１５２９（文字列１５１４）等を含む電子メールを作成し、送信を指示する。当該指示に従い、通信端末２０のＣＰＵは、メモリにロードしたプログラムを実行することにより当該電子メールを送信する（図１５におけるステップ１５０１）。
【００６９】
メールサーバ１２のＣＰＵ（図示略）は、メモリ（図示略）にロードしたプログラムを実行することにより、電子メールを受信し、ＨＤＤ等（図示略）に格納する。バックエンドサーバ１１ＣＰＵ１１１は、メモリ１１２にロードしたプログラムを実行することにより、特定の時間毎に、メールサーバ１２がイベント会場の表示装置４１に表示するメッセージを含む電子メールを受信しているか否か確認するための信号を送信する（図１５におけるステップ１５０２）。イベント会場の表示装置４１に表示するメッセージを含む電子メールを受信している場合、メールサーバ１２のＣＰＵは、当該電子メールをバックエンドサーバ１１に送信する（図１５におけるステップ１５０３）。そのために、例えば、メールサーバ１２は、予め、ＨＤＤ等に電子メールアドレスのリストを記憶しておき、受信した電子メールの宛先が当該リストに含まれているか否かにより、メッセージを含む電子メールを受信しているか否か判定する。
【００７０】
サービス会社の社員の指示に従い、管理端末１３のＣＰＵは、メモリにロードしたプログラムを実行することにより、メッセージの登録を指示する。当該指示に従い、バックエンドサーバ１１のＣＰＵ１１１は、メモリ１１２にロードしたプログラムを実行することにより、メッセージを登録する。具体的には、例えば、バックエンドサーバ１１のＣＰＵ１１１は、当該電子メールに含まれるメッセージを表示するイベントのイベントＩＤ１５０３を取得する。そのために、例えば、バックエンドサーバ１１は、ＨＤＤ１１３等に格納しているイベント特定テーブルを参照等して、当該電子メールの宛先の電子メールアドレスに対応するイベントＩＤ１５０３を取得する。
【００７１】
次に、バックエンドサーバ１１のＣＰＵ１１１は、電子メールから、差出人１５１３、添付画１５２８（画像１５１５）、メッセージ１５２９（文字列１５１４）、電子メールアドレス１５２７等を取得し、さらに、図１６を参照して説明したステップと同様に、通番１５１６及びカテゴリ情報１５０９等を取得し、取得した情報をメッセージＩＤと対応付けてメッセージ情報ＤＢ１１３３に格納する。さらに、バックエンドサーバ１１のＣＰＵ１１１は、上述と同様に、検閲していないことを示す検閲フラグ１５１８を付与してメッセージ情報ＤＢ１１３３に格納する（図１５におけるステップ１５０４、図１６におけるステップ１６０１〜１６０４）。
【００７２】
バックエンドサーバ１１のＣＰＵ１１１が電子メールから差出人１５１３、添付画１５２８（画像１５１５）、電子メールアドレス１５２７等の情報を取得する動作は、例えば、管理端末１３のＣＰＵが、メモリにロードしたプログラムを実行することにより、サービス会社の社員により入力された情報を送信することで実現する。また、例えば、参加者が、上述の情報を含む特定フォーマットのファイルを添付ファイルとして電子メールで送信し、管理端末１３のＣＰＵが、メモリにロードしたプログラムを実行することにより、当該電子メールに添付されたファイルと、サービス会社の社員により入力された情報とを送信することで実現する。
【００７３】
次に、バックエンドサーバ１１のＣＰＵ１１１は、イベントＩＤ１５０３に対応するイベントが現在実施されているか否か判定する（図１６におけるステップ１６０５）。ここでは、イベントはまだ実施されていないので、バックエンドサーバ１１のＣＰＵ１１１は、イベントＩＤ１５０３に基づいて、返信メール情報ＤＢ１１３４から当該イベントに対応する文字列１５１９及び画像１５２０等を読み出し、当該文字列１５１９及び画像１５２０を含む電子メールを作成し、取得した電子メールアドレス１５２７宛てに当該電子メールを送信する（図１５におけるステップ１５０５、図１６におけるステップ１６０６）。
【００７４】
次に、バックエンドサーバ１１が表示装置４１にメッセージ情報を送信する前に、イベント主催者がイベント会場に表示する文字列及び画像を検閲する動作例を説明する。
【００７５】
イベント主催者は通信端末５０を操作し、サービス会社から通知された、メッセージを検閲するためのＵＲＬを入力し、バックエンドサーバ１１へのアクセスを指示する。当該指示に従い、通信端末５０のＣＰＵは、メモリにロードしたプログラムを実行することによりブラウザの機能を実現し、当該機能により、ＵＲＬを含む接続要求を送信する（図１８におけるステップ１８０１）。接続要求を受信すると、バックエンドサーバ１１のＣＰＵ１１１は、メモリ１１２にロードしたプログラムを実行することにより、検閲者認証ＩＤ１５０１及び検閲者認証パスワード１５０２を入力させるための画面データを通信端末５０に送信する（図１８におけるステップ１８０２）。さらに、バックエンドサーバ１１のＣＰＵ１１１は、ＨＤＤ１１３等に格納しているイベント特定テーブルを参照して、接続要求に含まれるＵＲＬからイベントＩＤ１５０３を取得する。
【００７６】
通信端末５０のＣＰＵは、ブラウザの機能により、受信した画面データに基づいて、検閲者認証ＩＤ１５０１及び検閲者認証パスワード１５０２を入力させるための画面をディスプレイ等に表示する。
【００７７】
イベント主催者は、通信端末５０を操作し、予めサービス会社から通知された検閲者認証ＩＤ１５０１及び検閲者認証パスワード１５０２を入力して送信を指示する。通信端末５０のＣＰＵは、ブラウザの機能により、入力された検閲者認証ＩＤ１５０１及び検閲者認証パスワード１５０２を認証情報としてバックエンドサーバ１１に送信する（図１８におけるステップ１８０３）。
【００７８】
バックエンドサーバ１１は、通信端末５０から送信された認証情報を受信する。次いで、バックエンドサーバ１１のＣＰＵ１１１は、検閲者情報ＤＢ１１３６内に、取得したイベントＩＤ１５０３と対応付けられており、且つ、受信した検閲者認証ＩＤ１５０１及び検閲者認証パスワード１５０２を付与された検閲者情報が含まれているか否か判定する。受信した認証情報が検閲者情報ＤＢ１１３６に含まれている場合、バックエンドサーバ１１のＣＰＵ１１１は、メッセージ情報ＤＢ１１３３から、取得したイベントＩＤ１５０３と対応付けられたメッセージ情報のうち、未検閲を示す検閲フラグ１５１８が付与されているメッセージ情報を読出し、読み出したメッセージ情報を通信端末５０に送信する（図１８におけるステップ１８０４）。
【００７９】
通信端末５０のＣＰＵは、ディスプレイ等の出力装置に、検閲結果情報１５１７が含まれていないメッセージ情報の一覧を出力する。イベント主催者は、通信端末５０を操作等してメッセージ情報を検閲し、メッセージ情報ごとに、イベント会場の表示装置４１に表示許可か否かを示す検閲結果を指示する。通信端末５０のＣＰＵは、ブラウザの機能により、イベント主催者の指示に従って、検閲結果情報１５１７をバックエンドサーバ１１に送信する（図１８におけるステップ１８０５）。具体的には、例えば、通信端末５０のＣＰＵは、イベント主催者により指示されたメッセージ情報のメッセージＩＤ１５１２と、当該メッセージの検閲結果情報１５１７とをバックエンドサーバ１１に送信する。
【００８０】
バックエンドサーバ１１のＣＰＵ１１１は、通信端末５０から送信された検閲結果情報１５１７に従って、メッセージ情報ＤＢ１１３３内のメッセージ情報に受信した検閲結果情報１５１７を付与し、さらに、検閲フラグ１５１８を検閲済みを示すフラグに変更して格納する（図１８におけるステップ１８０６）。
【００８１】
次に、イベント当日のイベント会場での動作を説明する。イベント会場には、予め、表示装置４１と、イベント会場でメッセージを検閲するための通信端末４２とが、サービス会社のレンタル機器として設置される。表示装置４１のＨＤＤ４１０７等には、上述のように、例えばＩＰアドレスのようなバックエンドサーバ１１に接続するための接続情報、イベント会場名１５０４、表示装置用検閲者認証テーブル、表示装置用設定メモリ認証テーブル等が格納されている。
【００８２】
また、イベント主催者には、表示装置用設定メモリ４１０８と、検閲者用認証メモリ４２０１とが渡されている。
【００８３】
図１９は、表示装置４１の電源がＯＮされてからイベント終了までのシーケンスを説明する動作である。図２０は、電源がＯＮされ、通常動作に移行するまでの表示装置４１の動作例である。図２１は、イベント会場でメッセージを検閲する通信端末４２の動作例である。図２３は、表示装置４１が通常動作に移行し、メッセージを表示する動作例である。
【００８４】
まず、表示装置４１が通常動作に移行するまでの動作例を説明する。
【００８５】
イベント主催者は、イベントが始まる前に、表示装置４１の電源をＯＮにする。通電すると、表示装置４１のＣＰＵ４１０１は、メモリ４１０６にロードしたプログラムを実行することにより、ＨＤＤ４１０７等に格納されている接続情報を読出し、当該接続情報に基づいて、バックエンドサーバ１１に、接続要求と、イベント会場名１５０４とを含むメッセージ情報送信要求とを送信する（図１９におけるステップ１９０１、図２０におけるステップ２００１）。
【００８６】
バックエンドサーバ１１のＣＰＵ１１１は、表示装置４１に、当該要求を受け付けたことを示す信号を送信する（図１９におけるステップ１９０２）。さらに、バックエンドサーバ１１のＣＰＵ１１１は、メッセージ情報ＤＢ１１３３を参照し、当該要求を受信した月日に、当該表示装置４１が設置されているイベント会場で開催されるイベント宛で登録されたメッセージ情報のうち、表示許可を示す検閲結果情報１５１７を付与されているメッセージ情報と、検閲済みでないことを示す検閲フラグ１５１８を付与されているメッセージ情報とを読出し、当該読み出したメッセージ情報をイベントＩＤ１５０３と対応付けて表示装置４１に送信する。（図１９におけるステップ１９０３、１９０４）。そのために、例えば、バックエンドサーバ１１のＣＰＵ１１１は、イベント情報ＤＢ１１３１を参照し、メッセージ情報送信要求に含まれるイベント会場名１５０４に基づいて、当該要求を受信した月日に、当該イベント会場で実施されるイベントのイベントＩＤ１５０３を取得する。次に、メッセージ情報ＤＢ１１３３を参照し、取得したイベントＩＤ１５０３を対応付けられているメッセージ情報のうち、表示許可を示す検閲結果情報１５１７を付与されているメッセージ情報と、検閲済みでないことを示す検閲フラグ１５１８を付与されているメッセージ情報とを読出し、当該読み出したメッセージ情報を、イベントＩＤ１５０３と対応付けて表示装置４１に送信する。
【００８７】
ここで、バックエンドサーバ１１のＣＰＵ１１１は、例えば図４に一例を示すイベント情報ＤＢ１１３１内のイベントＩＤ１５０３「１００１」及び「１００３」のように、１つのイベント会場で同じ月日に結婚式等のイベントが複数回実施される場合、全てのイベントのイベントＩＤ１５０３に対応するメッセージ情報を上述と同様に表示装置４１に送信する。この場合、バックエンドサーバ１１のＣＰＵ１１１は、メッセージ情報の各々に、メッセージ情報ＤＢ１１３３で対応付けられていたイベントＩＤ１５０３と同じＩＤを対応付けて、表示装置４１に送信する。
【００８８】
なお、バックエンドサーバ１１のＣＰＵ１１１は、上述のようにメッセージ情報を送信した後、メッセージ情報要求を受信したことを示すフラグを立ててもよい。
【００８９】
表示装置４１のＣＰＵ４１０１は、イベントＩＤ１５０３を対応付けられたメッセージ情報を受信し（図２０におけるステップ２００２）、当該情報をＨＤＤ４１０７に格納する。
【００９０】
次いで、表示装置４１のＣＰＵ４１０１は、表示装置用設定メモリ４１０８が接続されているか否か判定する（図２０におけるステップ２００３）。そのために、表示装置４１のＣＰＵ４１０１は、例えば、コネクタ４１０９に特定の時間毎にポーリングを行い、当該ポーリングの応答が予め定めた表示装置用設定メモリ４１０８のものであるか否かにより判定する。ここでは、コネクタ４１０９には何も接続されていないので、表示装置４１のＣＰＵ４１０１は何もしない。
【００９１】
次に、イベント主催者が、イベント会場に設置された通信端末４２を操作してメッセージを検閲する動作を説明する。
【００９２】
イベント主催者は、通信端末４２の電源をＯＮにし、予め渡されていた検閲者用認証メモリ４２０１を特定の接続口に接続する。
【００９３】
通信端末４２のＣＰＵ（図示略）は、メモリ（図示略）にロードしたプログラムを実行することにより、検閲者用認証メモリ４２０１が接続しているか否か判定する（図２１におけるステップ２１０１）。その動作例は、上述したステップ２００３と同様である。検閲者用認証メモリ４２０１が接続されたことを認識すると、通信端末４２のＣＰＵは、検閲者用認証メモリ４２０１内に格納されているイベントＩＤ１５０３、検閲者認証ＩＤ１５０１、検閲者認証パスワード１５０２を読出し、読み出した情報と接続要求情報とを表示装置４１に送信する（図１９におけるステップ１９０５、図２１におけるステップ２１０２）。
【００９４】
表示装置４１のＣＰＵ４１０１は、受信した検閲者認証ＩＤ１５０１及び検閲者認証パスワード１５０２等により、当該接続要求が正当な要求であるか否か判定する。そのために、例えば、表示装置４１のＣＰＵ４１０１は、予めＨＤＤ４１０７等に格納されている表示装置用検閲者認証テーブルを参照し、受信したイベントＩＤ１５０３に対応する表示装置用検閲者認証テーブル内の検閲者認証ＩＤ１５０１及び検閲者認証パスワード１５０２が、受信した検閲者認証ＩＤ１５０１及び検閲者認証パスワード１５０２と一致するか否か判定し、一致する場合に、当該接続要求が正当な要求であると判定する。
【００９５】
正当な要求であると判定した場合、表示装置４１のＣＰＵ４１０１は、接続確立情報を通信端末４２に送信する。次いで、表示装置４１のＣＰＵ４１０１は、ＨＤＤ４１０７に格納した複数のメッセージ情報のうち、受信したイベントＩＤ１５０３に対応付けられており、且つ、検閲済みでないことを示す検閲フラグ１５１８を付与されているメッセージ情報を読出し、読み出したメッセージ情報を通信端末４２に送信する（図１９におけるステップ１９０６）。このとき、該当するメッセージ情報が無い場合、表示装置４１のＣＰＵ４１０１は、該当メッセージ無を示す情報を送信してもよい。
【００９６】
通信端末４２のＣＰＵは、受信した信号が接続確立情報であるか否か判定し（図２１におけるステップ２１０３）、受信した信号が接続確立情報である場合、次いで受信する情報をメモリ内の特定のエリア等に格納する。次に、通信端末４２のＣＰＵは、特定のエリア等を参照し、検閲済みでないことを示す検閲フラグ１５１８を付与されているメッセージ情報があるか否か判定する（図２１におけるステップ２１０４）。判定の結果、検閲済みでないことを示す検閲フラグ１５１８を付与されているメッセージ情報がある場合、通信端末４２のＣＰＵは、当該メッセージ情報をディスプレイ等（図示略）に表示する（図２１におけるステップ２１０５）。判定の結果、検閲済みでないことを示す検閲フラグ１５１８を付与されているメッセージ情報が無い場合、通信端末４２のＣＰＵは、該当メッセージ情報が無いことを示す情報を表示して、処理を終了する。
【００９７】
検閲済みでないことを示す検閲フラグ１５１８を付与されているメッセージ情報が表示されると、イベント主催者は、表示されたメッセージを検閲する。具体的には、例えば、イベント主催者は、通信端末４２の入力装置（図示略）を操作して検閲結果を指定し、指定した検閲結果を確定するためのボタン等を押下する。通信端末４２のＣＰＵは、検閲結果が確定したか否かを判定し（図２１におけるステップ２１０６）、上述したボタン等の押下により検閲結果確定を検知した場合、当該指示に従い、指定された検閲結果情報１５１７を表示装置４１に送信する（図１９におけるステップ１９０７、図２１におけるステップ２１０７）。具体的には、例えば、通信端末４２のＣＰＵは、イベント主催者に指定されたメッセージのメッセージＩＤ１５１２と、当該メッセージの検閲結果情報１５１７とを送信する。
【００９８】
ここでは、上述の検閲結果確定、検閲結果情報１５１７の送信というステップを、メッセージ情報毎に行うものとする。従って、通信端末４２のＣＰＵは、上述のステップを行った後、メモリ内の特定の領域等に、他の未検閲のメッセージ情報があるか否か判定し（図２１におけるステップ２１０４）、判定の結果、未検閲のメッセージ情報があれば、上述のステップを当該メッセージ情報に対し行う。判定の結果、未検閲のメッセージ情報が無ければ、検閲を終了する。
【００９９】
表示装置４１のＣＰＵ４１０１は、受信したメッセージＩＤ１５１２に基づく等して、ＨＤＤ４１０７内の該当するメッセージ情報に、受信した検閲結果情報１５１７を付与し、さらに、検閲フラグ１５１８を検閲済みを示すフラグに変更して記憶する。（図１９におけるステップ１９０８）。
【０１００】
次に、イベント会場で表示装置がメッセージを表示する動作を説明する。イベント主催者は、イベントが開始される前等に、予めサービス会社から渡されていた表示装置用設定メモリ４１０８を表示装置４１のコネクタ４１０９に接続する。
【０１０１】
表示装置４１のＣＰＵ４１０１は、上述したように、特定の時間毎に、表示装置用設定メモリ４１０８が接続されたか否か判定している（図２０におけるステップ２００３）。表示装置用設定メモリ４１０８が接続されたことを検知すると、表示装置４１のＣＰＵ４１０１は、表示装置用設定メモリ４１０８の認証処理を行う。具体的には、例えば、表示装置４１のＣＰＵ４１０１は、メモリ４１０６にロードしたプログラムを実行することにより、表示装置用設定メモリ４１０８内に格納されたディスプレイＩＤ１５２３、ディスプレイ認証コード１５２４、イベントＩＤ１５０３を読出し、ＨＤＤ４１０７内の表示装置用設定メモリ認証テーブルを参照し、表示装置用設定メモリ４１０８内のイベントＩＤ１５０３に対応する表示装置用設定メモリ認証テーブル内のディスプレイＩＤ１５２３及びディスプレイ認証コード１５２４が、表示装置用設定メモリ４１０８内のディスプレイＩＤ１５２３及びディスプレイ認証コード１５２４と一致するか否か判定する。判定の結果、一致する場合のみ、表示装置４１のＣＰＵ４１０１は通常状態に移行する処理を行う。
【０１０２】
まず、表示装置４１のＣＰＵ４１０１は、当該表示装置４１が設置された場所の明るさに応じて、ディスプレイ４１０２の輝度を変更する。そのために、表示装置４１のＣＰＵ４１０１は、光センサ４１０３の取得した測定値を取得し（図２３におけるステップ２３０１）、取得した測定値が、予めＨＤＤ４１０７等に記憶した閾値αより大きいか否か判定する（図２３におけるステップ２３０２）。判定の結果、測定値が閾値αより小さい場合、バックライトの電圧をＬＯＷとし（図２３におけるステップ２３０３）、測定値が閾値αより大きい場合、バックライトの電圧をＨＩとする（図２３におけるステップ２３０４）。
【０１０３】
これにより、表示装置４１のＣＰＵ４１０１は、イベント会場が明るい場合はバックライトを明るくし、イベント会場が暗い場合はバックライトを暗くすることができる。
【０１０４】
表示装置４１は、上述のようにディスプレイ４１０２の明るさを調節した後、メッセージを表示する。本実施形態では、表示装置４１は、メッセージを閲覧する人のカテゴリ情報１５０９を取得し、取得したカテゴリ情報１５０９に応じて表示するメッセージを変更することもできるが、まず、全てのカテゴリ情報１５０９のメッセージを表示する動作例を説明する。
【０１０５】
表示装置４１のＣＰＵ４１０１は、メモリ４１０６にロードしたプログラムを実行することにより、無線タグリーダ４１０４がカテゴリ情報１５０９を取得したか否か判定する（図２３におけるステップ２３０５）。具体的には、例えば、無線タグリーダ４１０４がＩＣタグから情報を読み取ったか否か判定する。ここでは、無線タグリーダ４１０４は情報を読み取っていないので、表示装置４１のＣＰＵ４１０１は、特定の間、無線タグリーダ４１０４がカテゴリ情報１５０９を取得していないか否か判定する（図２３におけるステップ２３０６）。この判定は、例えば、表示装置４１の内部のタイマ（図示略）等により、無線タグリーダ４１０４がカテゴリ情報１５０９を取得していないと判定した時から特定の時間が経過したか否かにより判定する。
【０１０６】
判定の結果、特定の時間経過している場合、表示装置４１のＣＰＵ４１０１は、ＨＤＤ４１０７内に格納しているメッセージ情報のうち、表示装置用設定メモリ４１０８から読み出したイベントＩＤ１５０３と対応付けられており、且つ、表示許可を示す検閲結果情報１５１７を付与されているメッセージ情報の文字列及び画像をディスプレイ４１０２に表示する（図１９におけるステップ１９０９、図２３におけるステップ２３０７）。これにより、表示許可な文字列１５１４及び画像１５１５のすべてが表示される。
【０１０７】
図２２に、イベント会場の表示装置４１で表示するメッセージの表示例を示す。図２２（ａ）、（ｂ）の画面２２０１、２２０２は、ディスプレイ４１０２に表示する画面例であり、表示タイプ１５０８に応じて、図２２に一例を示すように背景色や背景色の範囲が定められる。これは、例えば、表示タイプ１５０８に応じた表示フォーマットを予め定めておき、バックエンドサーバ１１が表示装置４１にメッセージ情報とともに表示タイプ１５０８を送信し、表示装置４１のＣＰＵ４１０１が、予め定めた表示フォーマットに従い文字列１５１４及び画像１５１５を表示することで実現される。
【０１０８】
なお、表示装置４１がメッセージを表示する順は任意でよい。
【０１０９】
次に、メッセージを閲覧する人のカテゴリ情報１５０９に応じて表示するメッセージを変更する動作例を説明する。この動作は、上述したステップ２３０１〜ステップ２３０４までは同じである。
【０１１０】
イベント会場に参加者が現れ、招待状に同封等されたＩＣタグ付カードを表示装置４１の無線タグリーダ４１０４にかざす。上述のように、招待状に同封されたＩＣタグ付カードのＩＣタグ内には、当該参加者のカテゴリ情報１５０９が格納されている。表示装置４１の無線タグリーダ４１０４は、当該カードのＩＣタグからカテゴリ情報１５０９を読み出す。
【０１１１】
表示装置４１のＣＰＵ４１０１は、上述したステップ２３０５の処理によりカテゴリ情報１５０９を取得したと判定すると、ＨＤＤ４１０７内に格納されているメッセージ情報のうち、表示装置用設定メモリ４１０８から読み出したイベントＩＤ１５０３と対応付けられており、且つ、無線タグリーダ４１０４の取得したカテゴリ情報１５０９と同じカテゴリ情報１５０９が付与されており、且つ、表示許可を示す検閲結果情報１５１７が付与されているメッセージ情報の文字列１５１４及び画像１５１５をディスプレイ４１０２に表示する（図１９におけるステップ１９０９、図２３におけるステップ２３１０）。
【０１１２】
これにより、メッセージを閲覧する参加者に応じて、表示するメッセージを変更することができる。図２４（ａ）、（ｂ）に、カテゴリ情報１５０９毎にメッセージを表示する例を示す。図２４において、画面２４０１、２４０２はカテゴリ情報１５０９が「新郎」である場合の、異なる表示タイプ１５０８のメッセージ表示例である。
【０１１３】
表示装置４１のＣＰＵ４１０１は、特定のカテゴリ情報１５０９を付与されたメッセージの表示を開始してから特定時間の間は、当該カテゴリ情報１５０９を付与されたメッセージ情報をディスプレイ４１０２に表示する。ステップ２３０６の判定により、無線タグリーダ４１０４が新たなカテゴリ情報１５０９を取得しない時間が特定時間続いていると判定した場合、表示装置４１のＣＰＵ４１０１は、全てのカテゴリ情報１５０９のメッセージの表示を開始する（図２３におけるステップ２３０７）。
【０１１４】
表示装置４１のＣＰＵ４１０１は、上述したメッセージの表示を電源がＯＦＦされるまで行う（図２３におけるステップ２３０９）。
【０１１５】
次に、イベント開始後に、参加者がメッセージを登録する場合の動作を説明する。参加者は、上述と同様に、ＵＲＬにアクセスする又は電子メールアドレス宛に電子メールを送信することによりメッセージを登録することができるが、ここでは、携帯電話２１を操作してＵＲＬにアクセスすることによりメッセージ情報を登録する場合を説明する。この動作は、図１４及び図１６を参照して説明したメッセージ登録の動作と一部一致するので、重複する動作は簡単に説明する。
【０１１６】
参加者は携帯電話２１を操作し、予めイベント主催者から通知されたＵＲＬを入力してバックエンドサーバ１１への接続を指示する。当該指示に応じて、携帯電話２１のＣＰＵ（図示略）は、メモリ（図示略）にロードしたプログラムを実行することにより、接続要求を送信する（図１９におけるステップ１９１０）。バックエンドサーバ１１のＣＰＵ１１１は、接続要求を受信すると、認証情報を入力させるための画面データを送信する（図１９におけるステップ１９１１）。さらに、バックエンドサーバ１１のＣＰＵ１１１は、ＨＤＤ１１３等に格納しているイベント特定テーブル等を参照して当該ＵＲＬに対応するイベントＩＤ１５０３を取得する。
【０１１７】
携帯電話２１のＣＰＵは、受信した画面データに基づいて、パスワードを入力させるための画面を表示画面（図示略）に表示する。参加者は、携帯電話２１を操作し、予めイベント主催者に通知された文字列を入力する。携帯電話２１のＣＰＵは、入力された文字列を認証情報としてバックエンドサーバ１１に送信する（図１９におけるステップ１９１２）。
【０１１８】
バックエンドサーバ１１は、携帯電話２１から送信された文字列を受信する。次に、バックエンドサーバ１１のＣＰＵ１１１は、参加者情報ＤＢ１１３２を参照し、イベントＩＤ１５０３を対応づけられた参加者情報内に、受信した文字列が含まれているか否か判定する（図１９におけるステップ１９１３）。判定の結果、参加者情報内に受信した文字列が含まれている場合、バックエンドサーバ１１のＣＰＵ１１１は、メッセージを登録するための画面データを送信する（図１９におけるステップ１９１４）。携帯電話２１のＣＰＵは、受信した画面データに基づいて、メッセージを登録するための画面をディスプレイ等の表示装置に表示する。
【０１１９】
参加者は、携帯電話２１を操作し、上述したメッセージ登録の動作と同様の情報を入力し、登録を指示する。携帯電話２１のＣＰＵは、参加者の指示に従い、入力された情報を送信する（図１９におけるステップ１９１５）。バックエンドサーバ１１のＣＰＵ１１１は、携帯電話２１から送信された情報を受信し、上述と同様に、ＨＤＤ１１３内のメッセージ情報ＤＢ１１３３に登録する。登録する動作は、図１６におけるステップ１６０１〜１６０４の動作例と同様である。
【０１２０】
次に、バックエンドサーバ１１のＣＰＵ１１１は、メッセージ送信要求を受信したか否か判定する。メッセージ送信要求を受信したか否か判定する動作例は上述と同様である。ここでは、当該要求を受信しているので、バックエンドサーバ１１のＣＰＵ１１１は、メッセージ情報ＤＢ１１３３に新たに格納したメッセージ情報をイベントＩＤ１５０３と対応付けて表示装置４１に送信する（図１６におけるステップ１６０７、図１９におけるステップ１９１６）。さらに、バックエンドサーバ１１のＣＰＵ１１１は、イベントＩＤ１５０３に基づいて、返信メール情報ＤＢ１１３４から当該イベントに対応する文字列１５１９及び画像１５２０を読み出し、当該文字列１５１９及び画像１５２０を含む電子メールを作成し、受信した電子メールアドレス宛てに当該電子メールを送信する（図１６におけるステップ１６０８、図１９におけるステップ１９１７）。
【０１２１】
表示装置４１のＣＰＵ４１０１は、バックエンドサーバ１１から送信された新たなメッセージ情報を受信すると、当該メッセージ情報をＨＤＤ４１０７等へ格納する。ここで、表示装置４１のＣＰＵ４１０１は、通信端末４２に、新たなメッセージ情報を受信したことを通知する情報を送信し、通信端末４２のディスプレイ等の表示装置に表示させてもよい。
【０１２２】
新たなメッセージを検閲する動作は、図１８を参照して説明した動作と同様であるので簡単に説明する。メッセージ情報を検閲する場合、イベント主催者は、予め検閲者用認証メモリ４２０１を通信端末４２に接続しておく。イベント主催者の指示に従い、通信端末４２のＣＰＵは、検閲要求等を表示装置４１に送信する。表示装置４１のＣＰＵ４１０１は、ＨＤＤ４１０７に格納したメッセージ情報のうち、検閲済みでないことを示す検閲フラグ１５１８を付与されているメッセージ情報を読出し、当該メッセージ情報等を通信端末４２に送信する（図１９におけるステップ１９１８）。
【０１２３】
通信端末４２のＣＰＵは、受信したメッセージ情報をディスプレイ等に表示する。さらに、通信端末４２のＣＰＵは、イベント主催者の指示に従い、メッセージ情報ごとの検閲結果情報１５１７を表示装置４１に送信する（図１９におけるステップ１９１９）。表示装置４１のＣＰＵ４１０１は、該当するメッセージ情報に、受信した検閲結果情報１５１７を付与し、検閲フラグ１５１８を検閲したことを示すフラグに変更して格納する。さらに、表示装置４１のＣＰＵ４１０１は、新たに検閲可能となったメッセージを、上述と同様に、ディスプレイ４１０２に表示する（図１９におけるステップ１９２０）。
【０１２４】
次に、イベント終了後の動作を説明する。図２５は、イベント終了後のシーケンス例を示す図である。
【０１２５】
イベント主催者は、表示装置４１に挿入した表示装置用設定メモリ４１０８を抜く。表示装置４１のＣＰＵ４１０１は、ポーリング等により、表示装置用設定メモリ４１０８が検知されない場合、ＨＤＤ４１０７内に格納しているメッセージ情報のうち、表示許可を示す検閲結果情報１５１７を付与されているメッセージ情報のメッセージＩＤ１５１２を取得し、当該メッセージＩＤ１５１２と、終了したイベントのイベントＩＤ１５０３とをバックエンドサーバ１１に送信する（図２５におけるステップ２５０１）。
【０１２６】
なお、表示装置４１のＣＰＵ４１０１は、表示装置用設定メモリ４１０８が検知されないと判定した場合、メッセージの表示を停止してもよい。
【０１２７】
バックエンドサーバ１１のＣＰＵ１１１は、受信したメッセージＩＤ１５１２をイベントＩＤ１５０３と対応付けてＨＤＤ１１３の特定のエリア等に格納する（図２５におけるステップ２５０２）。
【０１２８】
サービス会社の社員は、管理端末１３を操作して、イベントＩＤ１５０３を指定し、当該イベント宛に登録されたメッセージ情報のうち、表示許可を示す検閲結果情報１５１７を対応付けられたメッセージ情報の取得を指示する。管理端末１３のＣＰＵは、当該指示に従い、イベントＩＤ１５０３を含むメッセージ送信要求をバックエンドサーバ１１に送信する（図２５におけるステップ２５０３）。バックエンドサーバ１１のＣＰＵ１１１は、ＨＤＤ１１３の特定のエリア等を参照し、受信したイベントＩＤ１５０３に対応し、且つ、表示許可を示す検閲結果情報１５１７の付与されたメッセージＩＤ１５１２を取得する。次に、バックエンドサーバ１１のＣＰＵ１１１は、イベントＩＤ１５０３及びメッセージＩＤ１５１２に基づいて、メッセージ情報ＤＢ１１３３から、メッセージＩＤ１５１２に対応するメッセージ情報を読出し、読み出したメッセージ情報を管理端末１３に送信する（図２５におけるステップ２５０４）。
【０１２９】
サービス会社の社員は、受信したメッセージ情報を、ＣＤ−Ｒに格納を指示する。管理端末１３のＣＰＵは、ＣＤ−Ｒドライブ１３１にセットされたＣＤメディアに、受信したメッセージ情報に含まれる文字列１５１４及び画像１５１５等の情報を、ブラウザ等コンピュータ上で実行されるプログラムで閲覧可能な形式にして格納する（図２５におけるステップ２５０５）。サービス会社の社員は、メッセージを格納したＣＤを郵送等によりイベント主催者宛てに送付する。イベント主催者は、新郎新婦に当該ＣＤを送付等する。
【０１３０】
上述のシステムにより、メッセージ送信要求後は、未検閲のメッセージと、検閲済みであり且つ表示許可されたメッセージとがバックエンドサーバ１１又はメールサーバ１２から表示装置４１に送信されるため、通信端末４２が直接バックエンドサーバ１１又はメールサーバ１２にアクセスしてメッセージを取得する必要が無くなる。これにより、サービス会社とイベント会場との間のネットワーク上の伝送量を低減でき、ネットワークの負担を軽減することができる。
＜実施例２＞
メッセージを登録した参加者に応じて検閲者が異なる例を説明する。ここでは、メッセージを登録した参加者のカテゴリ情報１５０９に応じて検閲者が異なる例を説明する。具体的には、例えば、あるイベントで新郎の親類又は友人を示す「新郎」と、新婦の親類又は友人を示す「新婦」というカテゴリ情報１５０９を用いる場合、ある検閲者はカテゴリ情報１５０９が「新郎」である参加者のメッセージを検閲し、他の検閲者はカテゴリ情報１５０９が「新婦」である参加者のメッセージを検閲することである。ここでは、新郎はカテゴリ情報１５０９が「新郎」である参加者のメッセージを検閲し、新婦はカテゴリ情報１５０９が「新婦」である参加者のメッセージを検閲する例を説明する。
【０１３１】
図２６は、メッセージの検閲を新郎又は新婦いずれかが行う場合のシステム構成例である。図１に一例を示すシステム構成と異なる点は、表示装置４１から送信されたメッセージ情報送信要求を受信する前にメッセージを検閲する通信端末５０が、結婚式サービス会社の社員であるイベント主催者ではなく、新郎又は新婦のＰＣ等である点である。
【０１３２】
図２６に一例を示すシステム構成の場合の動作は、上述した動作とほぼ同様であるが、メッセージの検閲をするためにバックエンドサーバ１１及び表示装置４１へ接続する際の認証情報に、カテゴリ情報１５０９を含める点で異なる。
【０１３３】
実施例２の検閲者情報ＤＢの例を図２７に示す。図２７において、検閲者情報ＤＢ２７０１は、検閲者認証ＩＤ１５０１、検閲者認証パスワード１５０２等に加え、カテゴリ情報１５０９を含む。カテゴリ情報１５０９とは、例えば「新郎」、「新婦」であり、上述のイベント情報ＤＢ１１３１のイベント情報に含まれるカテゴリ情報１５０９の何れかである。検閲者認証ＩＤ１５０１及び検閲者認証パスワード１５０２は上述と同様である。
【０１３４】
実施例２の検閲者用認証メモリ４２０１内に格納される認証情報の例を図２８に示す。図２８において、認証情報２８０１には、検閲者認証ＩＤ１５０１、検閲者認証パスワード１５０２、イベントＩＤ１５０３に加えてカテゴリ情報１５０９が含まれる。従って、例えば、あるイベントにおいて用いるカテゴリ情報１５０９が「新郎」、「新婦」の２つであれば、「新郎」用、「新婦」用別々に検閲者用認証メモリが用意される。
【０１３５】
メッセージ情報送信要求受信前に検閲を行う場合、メッセージの検閲を行う新郎又は新婦の指示に従い、通信端末５０のＣＰＵは、検閲者認証ＩＤ１５０１及び検閲者認証パスワード１５０２と共に自身のカテゴリ情報１５０９をバックエンドサーバ１１に送信する。バックエンドサーバ１１のＣＰＵ１１１は、受信したカテゴリ情報１５０９と、検閲者認証ＩＤ１５０１と、検閲者認証パスワード１５０２とが、検閲者情報ＤＢ２７０１内の各情報と一致するか否かにより、検閲者を認証する。受信した情報が検閲者情報ＤＢ２７０１内の情報と一致する場合、バックエンドサーバ１１のＣＰＵ１１１は、受信したカテゴリ情報１５０９が付与されているメッセージ情報を通信端末５０に送信する。
【０１３６】
メッセージ情報送信要求受信後にメッセージの検閲を行う場合、通信端末４２のＣＰＵは、接続された検閲者用認証メモリ４２０１内に格納されている検閲者認証ＩＤ１５０１と、検閲者認証パスワード１５０２と、イベントＩＤ１５０３と、カテゴリ情報１５０９とを表示装置４１に送信する。表示装置４１のＣＰＵ４１０１は、上述と同様に、受信したカテゴリ情報１５０９と、検閲者認証ＩＤ１５０１と、検閲者認証パスワード１５０２とが、ＨＤＤ４１０７内の表示装置用検閲者認証テーブル内の情報と一致する場合、受信したカテゴリ情報１５０９が付与されているメッセージ情報を通信端末４２に送信する。
【０１３７】
これにより、例えば新郎、新婦のような検閲者の各々が、他人にメッセージを見られることなくメッセージを検閲することができる。
【０１３８】
以上、この発明の実施形態を図面を参照して詳述してきたが、具体的な構成はこの実施形態に限られるものではなく、この発明の要旨を逸脱しない範囲の設計変更等も含まれる。
【０１３９】
例えば、上述の実施形態では、メールサーバはメッセージを含む電子メールをそのままバックエンドサーバに送信するものとしたが、これに限られるものではなく、メールサーバが電子メールに含まれるメッセージを取得し、当該メッセージをバックエンドサーバに送信してもよい。
【０１４０】
また、上述の実施形態では、検閲フラグにより検閲したか否かを判定するものとしたが、これに限られるわけではなく、例えば、検閲結果情報が付与されているか否かにより、検閲したか否かを判定してもよい。
【０１４１】
また、上述の実施形態では、イベント毎に、メッセージの登録を受け付けるＵＲＬ、メッセージの登録を受け付ける電子メールアドレス、メッセージの検閲を受け付けるＵＲＬはイベント毎に異なるものとしたが、これに限られるわけではなく、全てのイベントで共通のＵＲＬ及び電子メールを受け付けてもよい。この場合、メッセージの登録及びメッセージの検閲を受け付ける時の認証情報に、メッセージ毎に異なるＩＤを含めておき、送信された認証情報に含まれるＩＤにより、どのイベントに対するメッセージ登録要求及びメッセージ検閲要求であるかを判定してもよい。
【０１４２】
また、上述の実施形態では、表示装置にメッセージを表示する順は任意であるものとしたが、これに限られるわけではない。例えば、同一の参加者から複数のメッセージを登録された場合、表示装置は、参加者名（差出人）を基準としてＨＤＤに記憶したメッセージ情報をソートし、ソートした順にメッセージを表示する。これにより、同じ参加者からのメッセージを連続して表示することが可能となる。
【０１４３】
また、上述の実施形態では、検閲者用認証メモリ及び表示装置用設定メモリ内に格納された情報により認証処理を行うとしたが、これに限られるわけではなく、人等により入力された情報により認証処理を行ってもよい。
【０１４４】
また、上述の実施形態では、バックエンドサーバ及び表示装置のＨＤＤにＤＢ等の各情報を格納するものとしたが、ＨＤＤに限られるわけではなく、ＣＤやＤＶＤ等の記憶媒体に各情報を格納してもよい。また、ＨＤＤ内の情報の一部を、ＣＤ、ＤＶＤ等の記憶媒体に格納してもよい。
【０１４５】
また、上述の実施形態では、メッセージとして文字列及び画像の少なくとも一方を登録するものとしたが、これにかぎられるわけではなく、例えば音声データをメッセージとして登録してもよい。この場合、文字列、画像、音声データのうち少なくとも１つがメッセージとしてメッセージ情報ＤＢに登録される。また、表示装置は、上述した構成に加え、スピーカ等の音声出力装置をさらに備えるものとする。
【図面の簡単な説明】
【０１４６】
【図１】本発明の一実施形態において、システム構成例を示す図である。
【図２】同実施形態において、検閲者用認証メモリ内に格納される情報の一例を示す図である。
【図３】同実施形態において、バックエンドサーバの構成を示す図である
【図４】同実施形態において、イベント情報ＤＢの一例を示す図である。
【図５】同実施形態において、参加者情報ＤＢの一例を示す図である。
【図６】同実施形態において、メッセージ情報ＤＢの一例を示す図である。
【図７】同実施形態において、返信メール情報ＤＢの一例を示す図である。
【図８】同実施形態において、絵文字変換情報ＤＢの一例を示す図である。
【図９】同実施形態において、検閲者情報ＤＢの一例を示す図である。
【図１０】同実施形態において、表示装置の構成を示す図である。
【図１１】同実施形態において、表示装置用設定メモリ内に格納されている情報の一例を示す図である。
【図１２】同実施形態において、イベント主催者がサービス会社に、メッセージ表示サービスを申し込む動作例を説明する図である。
【図１３】同実施形態において、バックエンドサーバが情報を格納する動作例を説明する図である。
【図１４】同実施形態において、メッセージを登録する動作例を説明する図である。
【図１５】同実施形態において、メッセージを登録する動作例を説明する図である。
【図１６】同実施形態において、バックエンドサーバがメッセージを記憶する動作例を説明する図である。
【図１７】同実施形態において、メッセージを登録する画面例を示す。
【図１８】同実施形態において、メッセージを検閲する動作例を説明する図である。
【図１９】同実施形態において、表示装置の電源がＯＮされてからの動作例を説明する図である。
【図２０】同実施形態において、表示装置が通常動作に移行するまでの動作例を説明する図である。
【図２１】同実施形態において、表示装置が記憶するメッセージを検閲する通信端末の動作例を説明する図である。
【図２２】同実施形態において、表示装置のメッセージ表示例である。
【図２３】同実施形態において、表示装置の通常動作の例である。
【図２４】同実施形態において、表示装置のメッセージ表示例である。
【図２５】同実施形態において、イベント終了後の動作例を説明する図である。
【図２６】同実施形態において、検閲者が新郎又は新婦である場合のシステム構成例である。
【図２７】同実施形態において、メッセージ検閲者が新郎又は新婦である場合の検閲者情報ＤＢの一例である。
【図２８】同実施形態において、メッセージ検閲者が新郎又は新婦である場合の検閲者用認証メモリ内に格納される情報の一例である。
【符号の説明】
【０１４７】
１１：バックエンドサーバ、１２：メールサーバ、１３：管理端末、１３１：ＣＤ−Ｒドライブ、１４：イントラネット、２０：通信端末、２１：携帯電話、３０：キャリアサーバ、４１：表示装置、４２：通信端末、４３：ＬＡＮ、５０：通信端末、６０：インターネット、２０１：認証情報、１１１：ＣＰＵ、１１２：メモリ、１１３：ＨＤＤ、１１３１：イベント情報ＤＢ、１１３２：参加者情報ＤＢ、１１３３：メッセージ情報ＤＢ、１１３４：返信メール情報ＤＢ、１１３５：絵文字変換情報ＤＢ、１１３６：検閲者情報ＤＢ、１５０１：検閲者認証ＩＤ、１５０２：検閲者認証パスワード、１５０３：イベントＩＤ、１５０４：イベント会場名、１５０５：新郎名、１５０６：新婦名、１５０７：開催日時、１５０８：表示タイプ、１５０９：カテゴリ情報、１５１０：参加者名、１５１１：パスワード、１５１２：メッセージＩＤ、１５１３：差出人、１５１４：文字列、１５１５：画像、１５１６：通番、１５１７：検閲結果情報、１５１８：検閲フラグ、１５１９：文字列、１５２０：画像、１５２１：絵文字、１５２２：対応語、１５２３：ディスプレイＩＤ、１５２４：ディスプレイ認証コード、１５２５：式場名、１５２６：披露宴開催日、１５２７：電子メールアドレス、１５２８：添付画、１５２９：メッセージ、１１４：出力装置、１１５：入力装置、１１６：通信ユニット、１７０１：画面、２２０１：画面、２２０２：画面、２４０１：画面、２４０２：画面、２７０１：検閲者情報ＤＢ、２８０１：認証情報、４１０１：ＣＰＵ、４１０２：ディスプレイ、４１０３：光センサ、４１０４：無線タグリーダ、４１０５：通信ユニット、４１０６：メモリ、４１０７：ＨＤＤ、４１０８：表示装置用設定メモリ、４１１１：認証情報、４１０９：コネクタ、４１１０：メインバス、４２０１：検閲者用認証メモリ
【図１】
2006155075.tif 000003
【図２】
2006155075.tif 000004
【図３】
2006155075.tif 000005
【図４】
2006155075.tif 000006
【図５】
2006155075.tif 000007
【図６】
2006155075.tif 000008
【図７】
2006155075.tif 000009
【図８】
2006155075.tif 000010
【図９】
2006155075.tif 000011
【図１０】
2006155075.tif 000012
【図１１】
2006155075.tif 000013
【図１２】
2006155075.tif 000014
【図１３】
2006155075.tif 000015
【図１４】
2006155075.tif 000016
【図１５】
2006155075.tif 000017
【図１６】
2006155075.tif 000018
【図１７】
2006155075.tif 000019
【図１８】
2006155075.tif 000020
【図１９】
2006155075.tif 000021
【図２０】
2006155075.tif 000022
【図２１】
2006155075.tif 000023
【図２２】
2006155075.tif 000024
【図２３】
2006155075.tif 000025
【図２４】
2006155075.tif 000026
【図２５】
2006155075.tif 000027
【図２６】
2006155075.tif 000028
【図２７】
2006155075.tif 000029
【図２８】
2006155075.tif 000030